(57)【要約】【課題】腕章型収納具を使用時に、物品が他の物に接触しても脱落しにくく、かつ、コンパクトに丸めることにより保管および運搬が容易となる腕章を提供する。【解決手段】腕章型収納具１は、５つの異なる形状をした収納ポケット２が、腕章の収納ポケット側の表面３ａの中央部に縫い付けられており、収納ポケット２の取出口４は腕章の収納ポケット側の表面３ａの短手方向に向いている。さらに、収納ポケット２の取出口４が腕章の収納ポケット側の表面３ａの短手方向に向いているため、収納ポケット２に物品を収納した場合でも、腕章の両端部を重ねる方向に曲げやすくなる。これにより、図１に示すように、使用時は腕の太さに合わせて腕に巻きつけることができ、また、図２に示すように、保管および運搬時は、物品の収納量に合わせてコンパクトに丸めることができる。【選択図】図１
2011067476.tif 000002
【特許請求の範囲】
【請求項１】
腕に巻回される帯状の腕章と、
前記腕章表面の短手方向に取出口を向けて固定されている、一つまたは複数の有底または無底の収納ポケットと、
を有することを特徴とする腕章型収納具。
【請求項２】
前記収納ポケットは複数であって、該複数の収納ポケットは複数の種類の形状または大きさに形成されていることを特徴とする請求項１の腕章型収納具。
【請求項３】
前記収納ポケットが、伸縮性を有する材質で形成されていることを特徴とする請求項１〜２のいずれか１項に記載の腕章型収納具。
【請求項４】
前記収納ポケットの反対側の面に長手方向全幅に亘る凸面または凹面の面ファスナーを有し、
前記収納ポケット側の面の長手方向端部に凹面または凸面の面ファスナーを有することを特徴とする請求項１〜３のいずれか１項に記載の腕章型収納具。
【請求項５】
前記収納ポケット側の面の面ファスナーを、長手方向の両側の端部に有することを特徴とする請求項４に記載の腕章型収納具。
【請求項６】
前記収納ポケットの一つまたは複数の取出口を覆う帯状のカバー片を備え、
前記カバー片は前記収納ポケット側の面および反対側の面のいずれにも倒すことができることを特徴とする請求項１〜５のいずれか１項に記載の腕章型収納具。
【発明の詳細な説明】
【技術分野】
【０００１】
本発明は、腕章に物品を収納する機能を付加した腕章型収納具に関する。
【背景技術】
【０００２】
従来、作業時の手持ち工具（ラッピングツール等）は、作業着のポケットやエプロンタイプの収納袋等に収納して作業を行っていた。
【０００３】
しかし、雑多な工具が乱雑に収納されていると、使用したい工具がすぐに取り出せないため、作業効率が落ちるという問題があつた。
【０００４】
この問題を解決する方法としては、収納腕章（特許文献１）がある。これは、腕章の表面と収納ポケット側の表面に面ファスナーを貼付し、これを張り合わせることにより腕章に収納力を持たせるものである。
【先行技術文献】
【特許文献】
【０００５】
【特許文献１】特開２００６−５５５９９
【発明の概要】
【発明が解決しようとする課題】
【０００６】
しかし、特許文献１に記載の収納腕章では、腕章と物品を面ファスナーで貼り合わせているに過ぎないため、物品が他の物に接触することにより脱落しやすいという問題がある。
【０００７】
また、上記の収納腕章では、収納したい物品に、あらかじめ対となる面ファスナーを取り付けておく必要がある。換言すれば、事前に面ファスナーを取り付けられた物品しか収納することができない。
【０００８】
したがって、本発明の目的は、腕章型収納具を使用時に、物品が他の物に接触しても脱落しにくく、また任意の物品を収納することが可能な腕章型収納具を提供することにある。
【課題を解決するための手段】
【０００９】
本発明にかかる腕章型収納具は、腕に巻回される帯状の腕章と、前記腕章の収納ポケット側の面の短手方向に取出口を向けて固定されている、一つまたは複数の有底または無底の収納ポケットとを有することを特徴とする。
【００１０】
前記収納ポケットは複数であって、該複数の収納ポケットは複数の種類の形状または大きさに形成されていてもよい。
【００１１】
前記収納ポケットは、伸縮性を有する材質で形成されていてもよい。
【００１２】
腕章型収納具は、前記収納ポケットの反対側の面に長手方向全幅に亘る凸面または凹面の面ファスナーを有し、前記収納ポケット側の面の長手方向端部に凹面または凸面の面ファスナーを有してもよい。
【００１３】
腕章型収納具は、前記収納ポケット側の面の面ファスナーを、長手方向の両側の端部に有してもよい。
【００１４】
腕章型収納具は、前記収納ポケットの一つまたは複数の取出口を覆う帯状のカバー片を備え、カバー片は前記収納ポケット側の面および反対側の面のいずれにも倒すことができる。    
【発明の効果】
【００１５】
本発明によれば、物品が収納ポケットに収納されているため、腕章型収納具を使用時に、物品が他の物に接触しても脱落しにくい腕章型収納具を提供することができる。
【図面の簡単な説明】
【００１６】
【図１】本発明の使用時における腕章型収納具の斜視図である。
【図２】本発明の保管および運搬時における腕章型収納具の斜視図である。
【図３】本発明に係る腕章型収納具の正面図である。
【図４】本発明に係る腕章型収納具の背面図である。
【図５】本発明に係る腕章型収納具の平面図である。
【図６】本発明に係る腕章型収納具のカバー片を、収納ポケットの取出口に被せた状態における左側面図である。
【発明を実施するための形態】
【００１７】
以下に添付図面を参照しながら、本発明の好適な実施形態について詳細に説明する。なお、本明細書及び図面において、実質的に同一の機能、構成を有する要素については、同一の符号を付することにより重複説明を省略する。
【００１８】
（収納ポケット）
図１は使用時における腕章型収納具１の斜視図、図２は保管および運搬時における腕章型収納具１の斜視図である。
【００１９】
図１の腕章型収納具１は、腕に巻回される帯状の腕章３に、複数の収納ポケット２を有することにより構成されている。収納ポケット２は本実施形態においては５つ固定されており、それぞれが異なる形状または大きさをしている。収納ポケット２は腕章３の表面３ａの中央部に縫い付けられて固定されており、収納ポケット２の取出口４は帯状の腕章３の短手方向に向いている。
【００２０】
収納ポケット２の形状は、一部が同じ形状および大きさであってもよく、複数の種類の形状および大きさをしていることが好ましい。これにより、さまざまな物品を入れ分けることができる。特に、収納ポケット２の形状と収納する物品とを対応づけておくことにより、収納ポケット２があいていることによって収納されていない物品を知ることができ、紛失防止となる。収納する物品としては、通信用配線工具（ラッピングツール、ドライバー等）が挙げられる。
【００２１】
ここで、収納ポケット２は複数に限られず、一つでもよい。収納ポケット２の位置は、腕章３の収納ポケット側の表面３ａの中央部に限られず、面ファスナーのない場所ならどこでもよい。収納ポケット２の腕章３への固定方法としては、縫い付けに限られず、接着、融着でもよい。
【００２２】
なお、この腕章３の材質としては、柔軟性および耐久性のあるナイロン（登録商標）または布が好ましい。
【００２３】
収納ポケット２の材質としては、腕章３の材質と同じであってもよいが、さらに伸縮性を有する材質で形成されていることが好ましい。収納ポケット２が伸縮性を有することにより、物品を締め付けて保持し、物品が脱落しにくくなる。伸縮性のある材質としては、ゴムなどが挙げられる。
【００２４】
このように腕章型収納具１は物品を収納ポケット２に収納することができるため、物品が他の物に接触しても脱落しにくい。また、物品を直接収納できるため、特許文献１のように面ファスナーを物品に貼付するなどの加工を要せず、その物品が取り扱いにくくなることもない
【００２５】
なお、収納ポケット２の取出口４は腕章３の収納ポケット側の表面３ａの短手方向に向いていることから、収納ポケット２に物品を収納した場合でも、腕章３の両端部を重ねる方向に曲げやすくなる。これにより、図１に示すように、使用時は腕の太さに合わせて腕に巻きつけることができ、腕に巻いた状態で物品を出し入れできる。また、図２に示すように表面３ａを内側にして巻回することにより、保管および運搬時は、物品の収納量に合わせてコンパクトに丸めることができる。
【００２６】
（カバー片）
図３は腕章型収納具の正面図、図４は腕章型収納具の背面図、図６は腕章型収納具のカバー片を、収納ポケットの取出口に被せた状態における左側面図である。
【００２７】
図３、４に示すように、長方形のカバー片８の一長辺が、帯状の腕章３の取出口４側の長辺（縁部）に縫い付けられ、その長さは五つの収納ポケット２の幅より長い。また、図６に示すようにカバー片８の幅は、カバー片８を収納ポケット側に倒したとき取出口４を覆うことができる程度に広い。
【００２８】
これにより、保管および運搬時にカバー片８を収納ポケット２の取出口４に被せて丸めれば、物品が収納ポケット２より飛び出すのを防止することができ、運搬が容易となる。
【００２９】
なお、腕章型収納具１を使用時は、カバー片８を腕章３の収納ポケット側と反対側の面側に倒して使用する。
【００３０】
ここで、カバー片８は、取出口４を覆うことができれば長方形でなくてもよい。また、カバー片８の腕章３への固定方法としては、縫い付けに限られず、接着、融着でもよい。
【００３１】
（面ファスナー）
図５は腕章型収納具１の平面図である。
本実施形態では、腕章３の収納ポケット側の表面３ａの両端部に面ファスナー凸面５が設けられ、腕章３の収納ポケット側と反対側の裏面３ｂの全面には面ファスナー凹面７が設けられている。
【００３２】
これにより、任意の位置で腕章３の表面３ａと裏面３ｂを面ファスナー５，７で貼り合わせることができるため、保管および運搬時は物品の収納量に合わせて丸めて固定できる。これによりコンパクトとなり、保管および運搬が容易となる。
【００３３】
また、腕章３の表面３ａの両端部に面ファスナー凸面５が設けられることにより、腕章３の左右どちらを内側または外側にしても面ファスナー５，７で貼り合わせることができるため、使用時の腕章３の腕への装着、および運搬時の丸める方向を迷わず素早くできる。
【００３４】
ここで、腕章３の表面３ａの面ファスナー凸面５は片端部だけに設けられてもよい。また、腕章３の裏面３ｂの面ファスナー凹面７は、腕章３の表面３ａの面ファスナー凸面５と任意の位置で貼り合わせることができれば、腕章３の表面３ａの全面に設けなくてもよく、長手方向全幅に亘ればよい。
【００３５】
さらに、腕章３の表面３ａの両端部を面ファスナー凹面、腕章３の裏面３ｂを面ファスナー凸面としてもよい。
【産業上の利用可能性】
【００３６】
本発明は、腕章に物品を収納する機能を付加した腕章型収納具として利用することができる。
【符号の説明】
【００３７】
１  腕章型収納具
２  収納ポケット
３  腕章
３ａ  表面
３ｂ  裏面
４  取出口
５  面ファスナー凸面
６  腕章の収納ポケット側と反対側の面
７  面ファスナー凹面
８  カバー片
【図１】
2011067476.tif 000003
【図２】
2011067476.tif 000004
【図３】
2011067476.tif 000005
【図４】
2011067476.tif 000006
【図５】
2011067476.tif 000007
【図６】
2011067476.tif 000008